(57)【要約】【課題】  名前等の表示部分の露出の有無を確実に使い分けることができる名札を提供する。【解決手段】  名札は、板状のベース体１３と、ベース体１３の下方端に回動自在に接続された、板状の蓋体１４とから構成されている。ベース体１３の前面部２７には名札シートを保持できる第１名札保持部３０が形成され、蓋体１４の裏面部３４には同様に名札シートが保持できる第２名札保持部３５が形成されている。名札シートを外部に現れないようにするためには、ねじりコイルばね３３の付勢力に抗して蓋体１４がベース体１３の前面部２７に重なるように力を加えると、突起部２８をボタン部２１に係合しその状態が保持される。この状態からボタン部２１を押圧すると、突起部２８との係合状態が解除され、蓋体１４は開いた状態に変化し、名札シートが現れる。【選択図】      図５
0003115362.tif 000002
【実用新案登録請求の範囲】
【請求項１】
学童用バッグ等に取付けられる名札であって、
表面部と後面部とを有する板状のベース体と、
前面部と裏面部とを有し、前記ベース体に対して、第１の位置と第２の位置との間を回動自在となるように接続された蓋体とを備え、
前記蓋体は、前記第１の位置にあっては前記表面部の少なくとも一部であって名前等を表示することができる第１の表示部分を前記裏面部によって覆い、前記第２の位置にあっては前記第１の表示部分を露出状態とする、名札。
【請求項２】
前記蓋体を前記第２の位置へ移動するように付勢する付勢手段と、
前記付勢手段の付勢力に抗して前記蓋体を前記第１の位置に留まるように保持する保持手段と、
前記保持手段による保持状態を解除する解除手段とを更に備えた、請求項１記載の名札。
【請求項３】
前記保持手段は、前記蓋体を前記第１の位置に移動させた時、自動的に作動する、請求項２記載の名札。
【請求項４】
前記蓋体は、前記第２の位置にあっては、その裏面部が前記表面部とほぼ同一平面上に位置するように整列し、前記裏面部には名前等が表示できる第２の表示部分が形成される、請求項１から請求項３の何れかに記載の名札。
【請求項５】
前記第１の表示部分は、
前記表面部から一段下がった位置に形成される平坦面からなる第１名札保持部と、
前記第２名札保持部の対向する一対の縁部に形成され、前記表面部に沿うように伸びる一対の第１のガイド板とからなり、
前記第２の表示部分は、
前記裏面部から一段下がった位置に形成される平坦面からなる第２名札保持部と、
前記第２名札保持部の対向する一対の縁部に形成され、前記裏面部に沿うように伸びる一対の第２のガイド板とからなる、請求項４記載の名札。
【請求項６】
前記蓋体の前記前面部には、反射シールが取付られる、請求項１から請求項５の何れかに記載の名札。
【考案の詳細な説明】
【技術分野】
【０００１】
この考案は名札に関し、特に学童が使用するランドセル等のバッグに取付けて使用する名札に関するものである。
【背景技術】
【０００２】
近年、不審者による学童の拉致、誘拐事件等が発生して社会的に大きな問題となっている。学童は通常ランドセル等に名札を付けて通学しているため、名札を介して名前を読み取られる可能性がある。そして、読み取った名前を呼ぶことで学童を油断させる方法も指摘されている。
【０００３】
一方、名札が無いと同じような形状のランドセルから自分のものを容易に識別できないため、名前の表示を止めるわけにもいかない。
【０００４】
そこで、図７で示したような名札が提案されている（例えば、特許文献１参照）。
【０００５】
図を参照して、板状の名札本体６１の表面に名前、住所等が記入された表示部材６４が取付けられている。表示部材６４の上にはその上に被せられた透明カバー６２との間に少なくとも２枚の第１偏光板６３及び第２偏光板６５が取付けられている。使用時にあっては、第１偏光板６３を回転させることによって、第２偏光板６５との相乗効果によって、表示部材６４に記載されている名前等の表示が現れるようにしたり隠れたりするように調整することが可能となる。
【０００６】
【特許文献１】実開平５−２７７８４号公報
【考案の開示】
【考案が解決しようとする課題】
【０００７】
図７で示したような名札では、偏光板の位置によって表示部が現れたり、隠れたりするため偏光板の位置に気を使う必要があり、使い勝手が良いとは言えない。
【０００８】
この考案は、上記のような課題を解決するためになされたもので、名前等の表示部分の露出の有無を確実に使い分けることができる名札を提供することを目的とする。
【課題を解決するための手段】
【０００９】
上記の目的を達成するために、請求項１記載の考案は、学童用バッグ等に取付けられる名札であって、表面部と後面部とを有する板状のベース体と、前面部と裏面部とを有し、ベース体に対して、第１の位置と第２の位置との間を回動自在となるように接続された蓋体とを備え、蓋体は、第１の位置にあっては表面部の少なくとも一部であって、名前等を表示することができる第１の表示部分を裏面部によって覆い、第２の位置にあっては第１の表示部分を露出状態とするものである。
【００１０】
このように構成すると、前面部の表示部分は蓋体の位置によって外方に現れたり、隠れたりする。
【００１１】
請求項２記載の考案は、請求項１記載の考案の構成において、蓋体を第２の位置へ移動するように付勢する付勢手段と、付勢手段の付勢力に抗して蓋体を第１の位置に留まるように保持する保持手段と、保持手段による保持状態を解除する解除手段とを更に備えたものである。
【００１２】
このように構成すると、解除手段を作動させると、蓋体は第２の位置へ移動する。
【００１３】
請求項３記載の考案は、請求項２記載の考案の構成において、保持手段は、蓋体を第１の位置に移動させた時、自動的に作動するものである。
【００１４】
このように構成すると、蓋体を第１の位置に戻すだけで保持手段が能動化する。
【００１５】
請求項４記載の考案は、請求項１から請求項３の何れかに記載の考案の構成において、蓋体は、第２の位置にあっては、その裏面部が表面部とほぼ同一平面上に位置するように整列し、裏面部には名前等が表示できる第２の表示部分が形成されるものである。
【００１６】
このように構成すると、蓋体が第２の位置にあると、第１の表示部分と第２の表示部分とは同一平面上に並んだ状態となる。
【００１７】
請求項５記載の考案は、請求項４記載の考案の構成において、第１の表示部分は、表面部から一段下がった位置に形成される平坦面からなる第１名札保持部と、第１名札保持部の対向する一対の縁部に形成され、表面部に沿うように伸びる一対の第１のガイド板とからなり、第２の表示部分は、裏面部から一段下がった位置に形成される平坦面からなる第２名札保持部と、第２名札保持部の対向する一対の縁部に形成され、前記裏面部に沿うように伸びる一対の第２のガイド板とからなるものである。
【００１８】
このように構成すると、名前等を記入した名札シートを第１名札保持部及び第２名札保持部にセットすることが可能となる。
【００１９】
請求項６記載の考案は、請求項１から請求項５の何れかに記載の考案の構成において、蓋体の前面部には、反射シールが取付けられるものである。
【００２０】
このように構成すると、蓋体が第１の位置にある時、反射シールが前面に位置する。
【考案の効果】
【００２１】
以上説明したように、請求項１記載の考案は、前面部の表示部分は蓋体の位置によって現れたり、隠れたりするため、必要に応じて、表示部分の表示の有無を確実に変えることができる。
【００２２】
請求項２記載の考案は、請求項１記載の考案の効果に加えて、解除手段を作動させると蓋体は第２の位置へ移動するため、表示部分が直ちに現れるため使い勝手が良い。
【００２３】
請求項３記載の考案は、請求項２記載の考案の効果に加えて、蓋体を第１の位置に戻すだけで保持手段が能動化するため、表示部分を隠した状態に容易にできると共にその状態を保持できるので、使い勝手がより向上する。
【００２４】
請求項４記載の考案は、請求項１から請求項３の何れかに記載の考案の効果に加えて、蓋体が第２の位置にある時第１の表示部分と第２の表示部分とが同一平面上に並んだ状態となるため、名前等の表示範囲が拡大する。又、第２の表示部分は蓋体の裏面部に形成されているため、蓋体が第１の位置にある時外部から目視されるおそれがない。
【００２５】
請求項５記載の考案は、請求項４記載の考案の効果に加えて、名前等を記入した名札シートを第１名札保持部及び第２名札保持部にセットすることができる。そのため、用途に応じて名札シートを取替えることが容易にできるため使い勝手が良い。
【００２６】
請求項６記載の考案は、請求項１から請求項５の何れかに記載の考案の効果に加えて、蓋体が第１の位置にある時反射シールが前面に位置するため、名前等を表示しない通学途中において、反射シールの反射機能が働き自動車等に対する安全性が向上する。
【考案を実施するための最良の形態】
【００２７】
図１はこの考案の第１の実施の形態による名札の外観形状を示す斜視図であって、その
正面側から見た図であり、図２は図１で示した名札を背面側から見た斜視図である。
【００２８】
これらの図を参照して、名札１１は大きくはほぼ三角形板状のベース体１３と、ベース体１３の前面の一部を覆うほぼ台形形状の板状の蓋体１４とから構成されており、これらは合成樹脂の射出成型によって形成されている。
【００２９】
ベース体１３の上方部には「ＰＵＳＨ」と表示されているボタン部２１が形成されている。ボタン部２１の周りには、切欠２２が形成され、これによってボタン部２１を、押すことによってその弾性によって前後に移動させることが可能である。又、ベース体１３の上方部には開口２４が形成され、これに紐等を通して名札１１をランドセル等に取付けるものである。又、ベース体１３の下方部の両外側には、支持部２０ａ，支持部２０ｂが形成され、各々の内側には軸２５ａ，軸２５ｂが一体となって成型されている。
【００３０】
一方、蓋体１４の表面部１６の中央部には反射シール１７が取付られている。この反射シール１７は、自動車等からのライトを受けるとその光を反射し、名札１１の存在を自動車の運転手等に知らせるものである。
【００３１】
蓋体１４の下方部の両側には、回転部１８ａ，回転部１８ｂが形成されており、これらにはベース体１３の軸２５ａ，軸２５ｂが回動自在に挿通されている。これによって、蓋体１４は、ベース体１３に対して軸２５ａ，軸２５ｂを中心として回動自在に接続されていることになる。図３は図１の状態からボタン部２１を操作して蓋体１４を回転部１８ａ，回転部１８ｂを回転中心として回動させている途中の状態を示した斜視図である。又、図４は、図１から図３への変化の状態をより分り易く説明するための部分切断斜視図である。
【００３２】
これらの図を参照して、蓋体１４の上方端面にはその中央部に突起部２８が形成されており、図１の状態即ち蓋体１４がベース体１３の一部を覆う第１の位置においては、突起部２８がベース体１３のボタン部２１の背面部分に係合した状態となっている。このため、ボタン部２１を操作しない状態にあっては、図４の（１）に示されているように、蓋体１４はベース体１３の一部を覆った状態に保持されている。即ち、ボタン部２１と突起部２８とは蓋体１４が第１の位置に留まるように保持する保持手段を構成する。
【００３３】
次にボタン部２１を前方から後方に押圧すると、ボタン部２１はその弾性構造によって移動し、突起部２８との係合状態が解除される。即ち、ボタン部２１の弾性構造は、保持手段による蓋体１４の保持状態を解除する解除手段を構成する。一方、後述するように蓋体１４は、ベース体１３から離れる方向に常時付勢されている。したがって、ボタン部２１と突起部２８との係合状態が解除されると、蓋体１４は自動的に図４の（２）に示されているようにベース体１３から離れるように移動する。
【００３４】
図５は図３の状態から蓋体１４がベース体１３から完全に離れて開いた第２の位置にある状態を示した斜視図であり、図６はその後方から見た斜視図である。
【００３５】
これらの図を参照して、ベース体１３のボタン部２１より下方の部分は一段下がった前面部２７となっている。又、前面部２７の中央部は更に一段下がった位置に形成される平坦面からなる第１名札保持部３０が形成されている。第１名札保持部３０の対向する一対の縁部には、前面部２７に沿うように伸びる一対のガイド板３１ａ，ガイド板３１ｂが形成されている。これによって第１名札保持部３０の大きさに合う名札シートをガイド板３１ａ，ガイド板３１ｂを利用してその上にセットすることが可能となる。このようにしてセットされた名札シートに名前や住所等を記入することができる。
【００３６】
一方、蓋体１４の裏面部３４にも第１名札保持部３０と同様に一段下がった平坦面よりなる第２名札保持部３５が形成されている。同様に第２名札保持部３５の対向する一対の縁部において裏面部３４に沿うように伸びる一対のガイド板３６ａ，ガイド板３６ｂが形成されている。これによって、第１名札保持部３０と同様に第２名札保持部３５の大きさに合致した名札シートを、ガイド板３６ａ，ガイド板３６ｂを利用して第２名札保持部３５にセットすることが可能となる。このようにこの実施の形態にあっては、名札シートを第１名札保持部３０及び第２名札保持部３５の何れに対してもセットできるため、広い範囲における名前等の記載が容易となる。又、名札シートは容易に取外しすることができるため、用途に応じて記載内容を変えた名札シートをセットすることも容易に可能となる。
【００３７】
ベース体１３と蓋体１４とは、上述のように支持部２０ａ及び軸２５ａと回転部１８ａが係合し、支持部２０ｂ及び軸２５ｂと回転部１８ｂとが係合することによって互い回動自在に接続されている。又、軸２５ａにはねじりコイルばね３３が取付られており、ベース体１３と蓋体１４とが常時開いた状態となるように付勢されている。この実施の形態にあっては、ベース体１３の第１名札保持部３０と蓋体１４の第２名札保持部３５とが同一平面に整列した位置でそれ以上開かないようにするために、図示しないストッパーによって互いに規制されている。したがって、図１の状態において、ボタン部２１を押圧することによって、突起部２８との係合状態を解除すると、蓋体１４は自動的に図５に示す位置まで移動する。これによって第１名札保持部３０及び第２名札保持部３５の少なく共一方にセットされた名札シートが外部に現れ、名前等の表示機能を発揮することになる。
【００３８】
次に図５に示した名前の表示状態から名前を隠すような使用状態に変化させるための手順について説明する。
【００３９】
この場合、ベース体１３を押えながら、蓋体１４を手に持ってねじりコイルばね３３の付勢力に抗してこれを閉じる方向に力を加える。すると、蓋体１４は図３に示した途中の位置から更に図４の（２）に示した位置に変化する。この状態から更に蓋体１４をベース体１３の方向に力を加えると、突起部２８がボタン部２１の下端部に当接し、ボタン部２１の弾性構造によってボタン部２１が上方に移動する。そして、蓋体１４を更にベース体１３に向って押付けると、図４の（１）に示されているように、突起部２８はボタン部２１の裏面に係合し、ねじりコイルばね３３の付勢力に抗してその状態が保持されることになる。
【００４０】
この状態になると、図１に示されているようにベース体１３の第１名札保持部３０の部分や蓋体１４の第２名札保持部３５の部分が全く外方に現れなくなる。その結果、この状態で名札１１をランドセル等に取り付けていても名前を読み取られることがない。このようにこの実施の形態による名札にあっては、名前が表示されている状態と名前が隠れている状態とが蓋体１４の開閉によって明確に確認できる。したがって、不用意に名前が表示された状態で名札１１を使用するおそれも解消する。
【００４１】
尚、上記の実施の形態では、名札保持部を表示部分としているが、これに代えて名前等を直接ベース体や蓋体に記入するようにしても良い。又、名札表示部はベース体か蓋体のいずれか一方にのみ形成されていても良い。
【００４２】
又、上記の実施の形態では、ねじりコイルばねによって付勢手段を構成しているが、他の付勢手段であっても良く、あるいは、付勢手段はなくても良い。
【００４３】
更に、上記の実施の形態では、ボタン部と突起部とによって保持手段を構成しているが、これに代えて磁石や面状ファスナー等を用いても良い。
【００４４】
更に、上記の実施の形態では、名札保持部にガイド板を設けているが、このガイド板はなくても良く、又、名札シートを直接名札保持部に貼り付けるように構成しても良い。
【００４５】
更に、上記の実施の形態では、蓋体の表面部に反射シールを取り付けているが、必ずしも必要なものではない。
【００４６】
更に、上記の実施の形態では、蓋体はベース体に対して完全に開いた状態に変化するが、他の位置で蓋体が停止するように構成しても良い。
【図面の簡単な説明】
【００４７】
【図１】この考案の第１の実施の形態による名札の外観形状を示した斜視図であって、その正面側から見た図である。
【図２】図１で示した名札に対してその背面側から見た斜視図である。
【図３】図１に示した状態から蓋体を途中まで開いた状態を示した斜視図である。
【図４】図１及び図３に関連した斜視図であって、ベース体に対する蓋体の係合状態を示すための部分切断斜視図である。
【図５】図３の状態から更に蓋体を完全に開いた状態を示した斜視図である。
【図６】図５で示した名札の背面側から見た斜視図である。
【図７】従来の名札の外観形状を示した斜視図である。
【符号の説明】
【００４８】
１１…名札
１３…ベース体
１４…蓋体
１６…表面部
１７…反射シール
１９…後面部
２１…ボタン部
２７…前面部
２８…突起部
３０…第１名札保持部
３１…ガイド板
３３…ねじりコイルばね
３４…裏面部
３５…第２名札保持部
３６…ガイド板
尚、各図中同一符号は同一又は相当部分を示す。
【図１】
0003115362.tif 000003
【図２】
0003115362.tif 000004
【図３】
0003115362.tif 000005
【図４】
0003115362.tif 000006
【図５】
0003115362.tif 000007
【図６】
0003115362.tif 000008
【図７】
0003115362.tif 000009